(57)【要約】  現在までのところ、一繋ぎのユニットとして声門上を通る管を有する喉頭部マスクを製作することは不可能であった。中央の内腔（６）が呼吸用空間（１０）への通路を有さない３つの内腔（４，５，６）が声門上を通る管（２）に設けられたなら、本発明は、解決を与える。本発明は、末端部（９）から喉頭部マスク頭部（３）へ延びる長手方向のスリット（８）が中央ガイド内腔に設けられることを提案する。従って、接続ウェブが、２つの芯部の間あるいは内腔を形成する摺動部の間に結びつけられ得て、変形することなしに圧縮力器具状態を維持するように、所望の安定性を生み出し得る。
2015519962.tif 000002
【特許請求の範囲】
【請求項１】
喉頭への喉頭部マスク頭部（３）の挿入のために声門上を通る管（２）を有する喉頭部マスク（１）であって、
前記声門上を通る管は、３つの内腔、すなわち、呼吸用の空気供給及び器具使用の役目をする呼吸用内腔（４）、食道の入口を与える役目をする食道用内腔（５）、及び前述の２つの内腔の間に延び基端部で閉鎖されているガイド内腔（６）、を有しており、
前記声門上を通る管（２）及び前記喉頭部マスク頭部（３）が、一部品に射出成型によって製造され、
２つの内腔を繋げるスロット（８）が末端部（９）から声門上を通る管（２）の長さの少なくとも一部に亘って延び、
前記スロットは、左右の内腔（４，５）と中央のガイド内腔（６）との間を延びている
ことを特徴とする喉頭部マスク（１）。
【請求項２】
前記接続スロット（８）は、前記呼吸用内腔（４）を前記ガイド内腔（６）と接続している
ことを特徴とする請求項１に記載の喉頭部マスク（１）。
【請求項３】
前記接続スロット（８）は、前記食道用内腔（５）を前記ガイド内腔（６）に接続している
ことを特徴とする請求項１に記載の喉頭部マスク（１）。
【請求項４】
前記スロット（８）の長さは、前記基端部（７）から前記末端部（９）への前記管（２）の全長の少なくとも４分の１以上、好ましくは少なくとも３分の１、に延びている
ことを特徴とする請求項１に記載の喉頭部マスク（１）。
【請求項５】
一部品の喉頭部マスク（１）は、前記喉頭部マスク頭部（３）内に、前記管（２）の前記呼吸用内腔（４）が終わる中央呼吸用空間（１０）を有し、
前記呼吸用空間の上方には、前記食道用内腔（５）が開放している食道用通路（１１）があり、
前記呼吸用空間（１０）は、カフ（１２）によって囲まれている
ことを特徴とする請求項１に記載の喉頭部マスク（１）。
【請求項６】
前記カフ（１２）は、膨張式のカフである
ことを特徴とする請求項３に記載の喉頭部マスク（１）。
【請求項７】
前記呼吸用空間（１０）は、周辺部にある粘着性壁及び／または溶接壁（１３）によって境界付けられており、
開口している射出成型カフ（１２）は、周辺部にある環状型の粘着性縁及び／または溶接縁を有し、
当該粘着性縁及び／または溶接縁は、前記粘着性壁及び／または溶接壁（１３）の形状及び大きさに適合されていて、完全に組み上がった状態では、前記粘着性壁及び／または溶接壁（１３）へ気密に接続されている
ことを特徴とする請求項４に記載の喉頭部マスク（１）。
【請求項８】
カフ（１２’）は、キャビティを含まない中実の素材からなる
ことを特徴とする請求項５に記載の喉頭部マスク（１）。
【請求項９】
中央側方方向での圧縮可能性を増大する少なくとも１つの弾性溝（１５）が、前記カフの少なくとも１つの側方の縁に沿って少なくとも長手方向に延びるように、前記カフ（１２’’）の背側に成型されている
ことを特徴とする請求項８に記載の喉頭部マスク（１）。
【請求項１０】
少なくとも１つの弾性溝（１５）は、カフ（１２’’）の２つの側方壁（１６）の各々に沿って、少なくともおおよそ当該側方壁に対して平行に、成型されている
ことを特徴とする請求項９に記載の喉頭部マスク（１）。
【請求項１１】
前記ガイド内腔（６）は、前記管（２）の末端部（９）上の推移領域（１８）内で前記喉頭部マスク頭部（３）に対して閉鎖されており、
前記呼吸用内腔（４）は、前記推移領域内で前記呼吸用空間（１０）に展開しており、
方向転換の位置（１９）が、前記推移領域内で、前記食道用内腔（５）が前記食道用通路（１１）に展開する位置に存在している
ことを特徴とする請求項１に記載の喉頭部マスク（１）。
【請求項１２】
請求項１乃至１１の少なくともいずれか１つに記載の声門上を通る管（２）を有する喉頭部マスク（１）、の製造のための射出成型用の型であって、
前記管（２）を形成するために、３つの平行な芯部があり、
前記ガイド内腔（６）を形成する芯部、及び、隣接する２つの芯部の１つは、基端部から末端の方向に安定しているウェブによって互いに接続されている
ことを特徴とする射出成型用の型。
【請求項１３】
前記呼吸用空間及びその上方を延びる前記食道用通路を形成する２つの芯部が、射出成型用の型の前半部の部分となっており、
前記管の前記内腔を形成する前記３つの芯部は、射出成型用の型の後半部の部分となっている
ことを特徴とする請求項１２に記載の射出成型用の型。
【請求項１４】
前記食道用内腔を形成する芯部、及び、前記食道用通路を形成する芯部は、射出成型の前後半部の閉鎖領域で閉鎖動作の方向に型嵌めする態様で互いに噛み合う
ことを特徴とする請求項１２に記載の射出成型用の型。
【請求項１５】
前記呼吸用空間を形成する芯部、及び、前記呼吸用内腔を形成する芯部は、射出成型の前後半部の閉鎖領域で閉鎖動作の方向に型嵌めする態様で互いに噛み合う
ことを特徴とする請求項１３に記載の射出成型用の型。
【請求項１６】
前記内腔を形成する芯部は、移動可能な被摺動物や被牽引物として形成されている
ことを特徴とする請求項１２に記載の射出成型用の型。
【発明の詳細な説明】
【技術分野】
【０００１】
本発明は、喉頭への喉頭部マスク頭部の挿入のために声門上を通る管を有する喉頭部マスクに関する。声門上を通る管は、３つの内腔、すなわち、呼吸用の空気供給及び器具使用の役目をする呼吸用内腔と、食道の入口を与える（食道へのアクセスを与える）役目をする食道用内腔と、２つの前述の内腔の間に延び、基端部で閉鎖されているガイド内腔と、を有する。
【背景技術】
【０００２】
喉頭部マスクは、プラスチックで作られ、通常は一度だけ使われる。喉頭部マスクは、通常は声門上を通る管と、喉頭部マスク頭部と、からなる。これらの２つの部品は、別々に製造されて、溶接あるいは接着によって相互に結合される。このような喉頭部マスクの典型的な例は、ＵＳ  ２００３／０３７７９０に示されている。声門上を通る管は、ここでは、２つの平行な内腔（ルーメン）を有する。１つの内腔は、呼吸用内腔であり、幅広の内腔は、食道用内腔である。他方、ＵＳ  ２００６／０３２５０５は、横に並んで延びる３つの管によって形成される、という声門上を通る管を説明している。ＵＳ  ２００７／０２８９２３は、声門上を通る管が中央の（に）呼吸用内腔を有し、小さな直径を有する各管が背面側と腹面側とで壁内に（それぞれ）示される、という喉頭部マスクを開示している。説明文も図面も管と喉頭部マスク頭部とが別々に作られることは示していないが、構造単独でも、他の結論を残さない。管の現在の形状は、内腔を形成する芯部を引き抜くことを不可能にしている。同様に、壁に埋め込まれている内腔を有する管は、押出や押出成型以外の他の方法によっては製造され得ない。このような厚さのある壁の管は、所望されれば、後に加熱処理によって成形され得る。
【０００３】
本発明は、ＷＯ  ２０１０／０６０２２７に従う喉頭部マスクに向けられている。この喉頭部マスクは、声門上を通る管を有しており、当該管には、喉頭部マスク頭部が取り付けられる。従って、喉頭部マスク頭部は、受容ブシュを有しており、当該受容ブシュ内に管が挿入され、喉頭部マスク頭部への溶接や接着がなされ得る。このような製造過程は、大量の手作業を必要とし、従って時間がかかり、それに応じて多額の費用もかかる。ここで用いられる声門上を通る管は、射出成型によって製造される。同様に、喉頭部マスク頭部は、第２の射出成型の型によって製造される。すなわち、２つの部品に製造される。通常はおおよそ２０ｃｍの長さを有する声門上を通る管は、それゆえ、射出成型法によって製造され得る。なぜなら、一方では、壁の厚さが厚さの関連する違いを有さず、他方では、内腔を形成する芯部が、成型用の型の一部において被牽引部や被摺動部として移動可能に保持されているからである。その間、芯部の端は、成型用の型の他方部において完全に圧力嵌め及び型嵌めする態様で保持され得て、従って芯部の変形が生じない。それゆえ、喉頭部マスク頭部と声門上を通る管とを相互に一繋ぎで（一部品として）製造することが自明の要求であると思われる。しかしながら、このことは、対応する移動可能な芯部が声門上を通る管及び喉頭部マスク頭部の両方で必要とされるので、一見したところ過去において実行できていたとは見受けられず、これらの芯部は、成型用の型の反対側の型に型嵌め及び圧力嵌めする態様で固定されることができない。このようなプラスチック射出成型における一般的な圧力で、芯部は、それらの端部で平坦に（平坦を保って）圧縮されることは容易にはできない。もしプラスチックで満たされる成型用の型がそのようなデザインを有するなら、芯部は、一般的な圧力あるいは遅くとも射出成型の数千回の開閉動作の後に生じるような圧力では、もはや満足に閉じることはないであろうし、フィルムあるいは薄膜が、技術的な用語で知られているように、芯部の当接部位上に形成されるであろう。換言すれば、完成された喉頭部マスクは、呼吸用内腔と食道用内腔との両方が妨げられていない通路を有するということを決定するために、検査されなければならないであろう。しかしながら、このことは、追加的な工程や追加的な試験機器を必要とし、従ってコスト増を生じるであろう。それゆえ、本発明の目的は、前述の問題を避ける一方で、一部品としてプラスチック製の喉頭部マスクを製造することである。
【発明の開示】
【０００４】
本目的は、導入部において規定されたタイプの喉頭部マスクであって、２つの内腔を繋ぐスロットが基端部から声門上を通る管の全長の少なくとも一部に亘って延びている状態で、声門上を通る管及び喉頭部マスクが射出成型によって一部品に製造される、ことを特徴とする喉頭部マスクによって達成される。
【０００５】
前述のように、本発明によるこのスロットは、この目的のために必要とされる射出成型用の型がガイド内腔を形成する（各）芯部と隣接する（２つの）芯部のうちの１つとの間でウェブを有するときに限り、形成され得る。この場合において、これら２つの芯部は、基端部から末端の方に安定させるウェブによって相互接続されている。
【０００６】
この取り組みのおかげで、芯部は、特にはガイド内腔を形成するために、更に安定させられる。このことは、当該芯部が反対の成型用の型上であるいは反対の芯部上で支えられない、いわゆる浮いた芯部であるので、特に重要である。この方法でのみ、末端で閉鎖されるガイド内腔が、形成され得る。
【０００７】
ＷＯ  ２０１０／０６０２２７に従う取り組みを除けば、過去に知られた喉頭部マスクは中央ガイド内腔を有していないので、他に知られている喉頭部マスクを含めて、このような取り組み（アプローチ）は、実施され得ない。例えば、声門上を通る管がそれに平行に延びる呼吸用内腔と食道用内腔だけからなるなら、これら２つの内腔の間にそれ以上の繋がりは必要でない、すなわち、特にスロットがこれら２つの内腔を繋ぐように存在している必要は無い。というのは、食道用内腔を通って外へ吸い出される素材は、呼吸用内腔に入ってはいけないからである。導入部で説明されたような、声門上を通る管を有する喉頭部マスクの場合においてだけ、本発明に従って問題は解決され得る。
【０００８】
図面は、本質的には差異が喉頭部マスク頭部のデザインだけからなる様々な形態を示している。本発明による取り組みは、導入部において規定されたタイプの声門上を通る管を有する限り喉頭部マスクの様々なタイプに適している、ということが、ここで明確に指摘されるべきである。
【０００９】
図面は、本発明の主題の好適な実施の形態を示し、これらの形態は、図面を参照しつつ、以下の記述に基づいて説明される。
【図面の簡単な説明】
【００１０】
【図１】図１は、腹面側への視野によって、一部品の喉頭部マスクを示している。
【図２】図２は、図１のＤ−Ｄ線に沿った中央鉛直断面を示している。
【図３】図３は、食道用内腔とガイド内腔との間の分割壁への視野によって、Ｅ−Ｅ線に沿った同様の断面を示している。図１から図３は、膨張式のカフを有する喉頭部マスクの図を示している。
【図４】図４は、水平断面での喉頭部マスクを示しており、これはカフがキャビティなしに製造される、すなわち、中実の（中の詰まった）素材で作られている。
【図５】図５は、背面側からの喉頭部マスクの視野によって、図４に従うのと同様の喉頭部マスクを示している。
【図６】図６は、図５におけるＥ−Ｅ線に沿った断面での喉頭部マスクを示しており、喉頭部マスク頭部が当該断面の表面から外方への視野で示される一方、声門上を通る管は、長手方向への直角な角度で切られている。
【図７】図７は、図５におけるＤ−Ｄ線に沿った鉛直断面での喉頭部マスク頭部を示している。
【図８】図８乃至図１０は、図４乃至図７に従う喉頭部マスクの変形例を示しているが、喉頭部マスク頭部は、ここでは、中央側方方向に弾力があるようにデザインされている。図８は、背面の視野でこの喉頭部マスクを示している。
【図９】図８乃至図１０は、図４乃至図７に従う喉頭部マスクの変形例を示しているが、喉頭部マスク頭部は、ここでは、中央側方方向に弾力があるようにデザインされている。図９は、横方向の視野でマスクを示している。
【図１０】図８乃至図１０は、図４乃至図７に従う喉頭部マスクの変形例を示しているが、喉頭部マスク頭部は、ここでは、中央側方方向に弾力があるようにデザインされている。図１０は、図８におけるＡ−Ａ線に沿った喉頭部マスク頭部の鉛直断面を示している。
【発明を実施するための形態】
【００１１】
位置を決定（規定）するために以下で用いられる用語は、患者についての喉頭部マスクの位置に関している。「末端の（末端に）」は、患者の体の中心から離れて位置されることを意味し、「基部に近い（基部の近く）」は、患者の体の中心に向けられることを意味している。「側方の（側方に）」は、ここでは体の中心から離れて面することを意味し、「中央の（中央に）」は、体の中心に向いていることを意味する。
【００１２】
本特許出願では、「喉頭部マスク」という用語は、声門上を通る管と、前記のものに接続される喉頭部マスク頭部と、からなる全体（全体物）に適用されると理解される。その結果、喉頭部マスク、すなわちその全体（物）は、一部品としての声門上を通る管２と前記のものに接続される喉頭部マスク頭部３とからなる。
【００１３】
声門上を通る管は、それゆえ、声門の上方にガイドされ得る管である。声門上を通る管２は、複数の内腔（ルーメン）を有する。本発明における実施の形態では、声門上を通る管２は、３つの内腔を有している。図４への参照が、この関連でなされる。最大の直径を有する、つまり最大の内部クリアランスを有する内腔は、側方に位置された呼吸用内腔４である。それは、中央に延びるガイド内腔６に隣接して境界を規定している。側方の食道用内腔５は、従って、ガイド内腔６の他方の側方に順に延びている。声門上を通る管２の横断面は、当該断面が図５のＥ−Ｅ線に沿って延びる図６の断面図において理解され得る。この図５は、当該喉頭部マスクの腹面側からの視野で喉頭部マスク１を示している。図４は、声門上を通る管２の高さの中心に延びる水平断面を示している。この断面Ａ−Ａが、図６に示されている。
【００１４】
声門上を通る管２は、分離線なしに、喉頭部マスク頭部３に展開している（繋がっている）。声門上を通る管２が喉頭部マスク頭部３に発展する領域は、推移領域１８として参照される。基部近くでガイド内腔６を密閉する基端壁１７が、この推移領域１８に存在している。この推移領域１８において、食道用内腔５は、喉頭部マスク頭部３の領域で、食道用通路１１に発展している。この食道用通路１１は、図７で最も明瞭に理解され得る呼吸用空間１０の上方に延びている。図７は、図５における切断線Ｄ−Ｄの領域での喉頭部マスク頭部３を通る断面を示している。この図はまた、前述のように、呼吸用空間１０の上方に延びる円筒状の穴として食道用通路１１を示している。図４はまた、食道用通路１１が直線で完全に喉頭部マスク頭部３を貫通して延び、この食道用通路１１が前述の推移領域１８において食道用内腔５で終わることを、明確に示している。このことは、推移領域１８において、方向転換の位置１９をもたらす。この図はまた、食道用通路１１の長さが声門上を通る管２の長さのおおよそ３分の１あるいはそれ以上に相当することを、明確に示している。
【００１５】
推移領域１８では、呼吸用内腔４が同様に、図４及び図７において理解され得るように、呼吸用空間１０へと開口している。図４乃至図６による当該実施の形態は、カフ１２がキャビティ（空間）のないカフ１２’としてデザインされている、という取り組み（アプローチ）に関している。キャビティのないカフ１２’は、やや強められた強度を与える。このことは、患者への喉頭部マスクの挿入を容易にする。このデザインの喉頭部マスクは、特に救急分野での使用に適する。
【００１６】
図１乃至図３は、膨張式のカフ１２’での喉頭部マスクを例示する。ここで例示される取り組みは、特には今日の臨床分野で用いられ、一繋ぎで（一部品で）製造される。ここで再び、声門上を通る管が２と符号が付けられ、喉頭部マスク頭部が３と符号が付けられる一方、喉頭部マスクは全体で１と符号が付けられている。喉頭部マスク１は、射出成型から生じる状態で、ここでは示されている。カフ１２は、それゆえ、開いているままであり、溶接や接着によって閉鎖されなければならない。カフ１２は、呼吸用空間１０を囲んでおり、内側向きの溶接縁１４で終わっている、つまり、呼吸用空間１０の中心の方を向いて終わっている。呼吸用空間１０は、それ自体、周辺部にある粘着壁及び／または溶接壁１３によって境界付けられている。前述の環状型の粘着縁及び／または溶接縁１４は、完全取付状態での密閉（シール）を形成するように、粘着壁及び／または溶接壁１３上に接着あるいは溶接される。本発明におけるスロット８は、図４乃至図７に係る実施形態（バージョン）おいてより、特に図３において、より明確に理解され得る。このスロット８は、声門上を通る管２の末端部９から基部方向に喉頭部マスク頭部３の方へ延びている。このスロット８の長さは、声門上を通る管２の全長の少なくとも３分の１に達している。スロット８は、２つの分離壁２０，２１のうちの１つ、すなわち食道用内腔５からガイド内腔６を分離する分離壁２０あるいは呼吸用内腔４からガイド内腔６を分離する分離壁２１のいずれか一方、に配置され得る。図１乃至図３に係る実施形態でも図４乃至図７に係る実施形態でも、スロットは、分離壁２０内を延びており、食道用内腔５からガイド内腔６を分離している。両方の実施形態（バージョン）において、食道用内腔の通路は、喉頭部マスクの基端部上にカフ１２から上流側で開口しており、カフを越えて開口路２２に延びている。２つの側方の内腔４または５の１つ及び中央のガイド内腔６を形成する芯部の間に射出成型の型において接続ウェブが存在している、という事実のために、スロット８は自然に形成される。このウェブのおかげで、最小の直径を有する２つの芯部は、互いに対して支えられ、それに応じて補強される。しかしながら、反対の芯部に支えられることができないので射出成型の中心の芯部が特に扱いにくいので、スロット８はまた、ガイド内腔６と呼吸用内腔４との間の分離壁２１内にも延び得る。本発明による喉頭部マスクが製造される射出成型の型におけるの芯部は、それによって食道用通路１１が形成されるという追加の芯部が衝突領域で型嵌めの態様で食道用内腔５を形成する芯部と噛み合う、というようにデザインされる。従って、１つの芯部は、もう一つの芯部に面するその端部上に穴を有し、当該もう一つの芯部は、型嵌めの態様でその中に嵌まるピンを有し、これらの２つの芯部は相互に補強効果で互いを固定する。
【００１７】
同様に一繋ぎで製造される喉頭部マスクに関し、声門上を通る管２が前述の２つの実施形態でのそれらと正に同じくデザインされる、本発明の最後の形態において、異なるデザインのカフ１２’’を有する喉頭部マスク頭部３が示されている。この取り組みは、前述のカフ１２による取り組み及び／またはカフ１２’による取り組みの利点を兼ね備える。これは、膨張式のカフではなく、その代わりに、基本的にキャビティがないにもかかわらず中央側方方向に弾性があるように成型されるカフである。ここで再び、同じ部品は、以前に説明された実施形態においてと同じ参照符号を付けられている。カフ１２’’は、ここでは、側方の領域での周辺外形線にＵ字状の断面を有する弾性溝１５を有する。この弾性溝は、外側の側方の壁領域が側方から中心へ弾性的であることを許容する。このことは、膨張させる必要なしで、喉頭部マスク頭部の幅についての調節を許容する。側方中央方向での当該調節の弾性力は、追加の設計手段で、調節され得る。この目的のために、弾性溝１５の方向を横断するように延びる複数の薄い弾性壁２３が、Ｕ字状の断面を有する弾性溝１５内に成型されてもよい（図８参照）。このような弾性壁２３は、ここで図面に示されたように、弾性溝１５の長手方向に直角に配置されてもよいし、あるいは、その長手方向に傾斜して延びていてもよい。同様に、このような弾性壁は、真っ直ぐな線で延びる必要はなく、曲線形状、円弧形状、あるいはＳ字形状を有していてもよい。これら全ての形態は、弾性力を調節する可能性をもたらす。
【００１８】
様々な実施の形態は、喉頭部マスクの一部品としての（一繋ぎでの）生産の概念が喉頭部マスク頭部のデザインに関して多くの形態を許容することを、単に示すだけである。しかしながら、このような一繋ぎでの生産について知識基礎を許すことは、２つの側方の内腔の１つ、すなわち呼吸用内腔４または食道用内腔５と、中央のガイド内腔６と、の間の２つの分割壁の１つがスロット８によって他方に繋がれるという事実に基づく。
【符号の説明】
【００１９】
１      喉頭部マスク
２      管
３      喉頭部マスク頭部
４      呼吸用内腔
５      食道用内腔
６      ガイド内腔
７      基端部
８      溝
９      末端部
１０    呼吸用空間
１１    食道用通路
１２    カフ
１２’  カフ
１２’’ カフ
１３    溶接壁
１４    溶接縁
１５    弾性溝
１６    側方方向壁
１７    基端壁
１８    推移領域
１９    方向転換の位置
【図１】
2015519962.tif 000003
【図２】
2015519962.tif 000004
【図３】
2015519962.tif 000005
【図４】
2015519962.tif 000006
【図５】
2015519962.tif 000007
【図６】
2015519962.tif 000008
【図７】
2015519962.tif 000009
【図８】
2015519962.tif 000010
【図９】
2015519962.tif 000011
【図１０】
2015519962.tif 000012
【手続補正書】
【提出日】平成27年2月6日(2015.2.6)
【手続補正１】
【補正対象書類名】特許請求の範囲
【補正対象項目名】請求項６
【補正方法】変更
【補正の内容】
【請求項６】
前記カフ（１２）は、膨張式のカフである
ことを特徴とする請求項５に記載の喉頭部マスク（１）。
【手続補正２】
【補正対象書類名】特許請求の範囲
【補正対象項目名】請求項７
【補正方法】変更
【補正の内容】
【請求項７】
前記呼吸用空間（１０）は、周辺部にある粘着性壁及び／または溶接壁（１３）によって境界付けられており、
開口している射出成型カフ（１２）は、周辺部にある環状型の粘着性縁及び／または溶接縁を有し、
当該粘着性縁及び／または溶接縁は、前記粘着性壁及び／または溶接壁（１３）の形状及び大きさに適合されていて、完全に組み上がった状態では、前記粘着性壁及び／または溶接壁（１３）へ気密に接続されている
ことを特徴とする請求項５に記載の喉頭部マスク（１）。
【国際調査報告】
2015519962.tif 000013
2015519962.tif 000014
2015519962.tif 000015
2015519962.tif 000016
2015519962.tif 000017
2015519962.tif 000018
2015519962.tif 000019
2015519962.tif 000020